(57)【特許請求の範囲】
【請求項１】
ユーザーが当該携帯電話端末を手に持って通話する姿勢を取るとき、ユーザーの頭部の部位Ａに対向する当該携帯電話端末の部位Ｂの近傍に配置された近接センサと、
ユーザーが当該携帯電話端末を手に持って通話する姿勢を取るときにおける、前記部位Ａと、前記部位Ｂ及び前記近接センサのいずれかとの間の距離に基づいて予め定められた閾値と、着信後に前記近接センサで測定した測定距離との比較結果に基づいて当該携帯電話端末への着信に応答するか否かを判定する手段と、
着信に応答するか否かを定めるための副次的な指標であり、それ単体では着信に応答するか否かを決定しない前記指標を、着信に応答しないときにユーザーが行なう入力に応じて生成する指標生成手段とを備え、
前記判定手段は、前記測定距離が前記閾値よりも短くなる前に、前記指標生成手段での入力がされていないときに着信に応答すると判定する
ことを特徴とする携帯電話端末。
【請求項２】
前記判定は、測定距離が閾値よりも短くなると着信に応答すると判定することを特徴とする請求項１に記載の携帯電話端末。
【請求項３】
前記判定は、測定距離の予め定められた時間変化を検出した後、測定距離が閾値よりも短くなると着信に応答すると判定することを特徴とする請求項１及び２のいずれかに記載の携帯電話端末。
【請求項４】
前記部位Ａ及び部位Ｂの組み合わせとして、耳とスピーカー開口部、及び、口とマイク開口部の少なくとも一方を含むことを特徴とする請求項１乃至３のいずれかに記載の携帯電話端末。
【請求項５】
ユーザーが当該携帯電話端末を手に持って通話する姿勢を取るとき、ユーザーの頭部の部位Ａに対向する当該携帯電話端末の部位Ｂの近傍に配置された近接センサにより距離を測定する手順と、
ユーザーが当該携帯電話端末を手に持って通話する姿勢を取るときにおける、前記部位Ａと、前記部位Ｂ及び前記近接センサのいずれかとの間の距離に基づいて予め定められた閾値と、着信後に前記近接センサで測定した測定距離との比較結果に基づいて当該携帯電話端末への着信に応答するか否かを判定する判定手順と、
着信に応答するか否かを定めるための副次的な指標であり、それ単体では着信に応答するか否かを決定しない前記指標を、着信に応答しないときにユーザーが行なう入力に応じて生成する指標生成手順と、
を前記携帯電話端末が備えるコンピュータに実行させるためのプログラムであって、
前記判定手順は、前記測定距離が前記閾値よりも短くなる前に、前記指標生成手順での入力がされていないときに着信に応答すると判定する
ことを特徴とするプログラム。
【請求項６】
ユーザーが当該携帯電話端末を手に持って通話する姿勢を取るとき、ユーザーの頭部の部位Ａに対向する当該携帯電話端末の部位Ｂの近傍に配置された近接センサにより距離を測定する段階と、
着信に応答するか否かを定めるための副次的な指標であり、それ単体では着信に応答するか否かを決定しない前記指標を、着信に応答しないときにユーザーが行なう入力に応じて生成する指標生成段階と、
ユーザーが当該携帯電話端末を手に持って通話する姿勢を取るときにおける、前記部位Ａと、前記部位Ｂ及び前記近接センサのいずれかとの間の距離に基づいて予め定められた閾値と、着信後に前記近接センサで測定した測定距離との比較結果に基づいて、前記測定距離が前記閾値よりも短くなる前に、前記指標生成手段での入力がされていないときに着信に応答すると判定する判定段階と、
を含むことを特徴とする携帯電話端末の着信応答方法。
【発明の詳細な説明】
【技術分野】
【０００１】
本発明は携帯電話端末の着信応答に関する。
【背景技術】
【０００２】
携帯電話端末の多機能化が進んでいるが、多機能化は操作の煩雑化を招きやすい。このため、操作がより簡単な携帯電話端末が求められている。
【０００３】
携帯電話端末の最も基本的な機能のひとつに音声通話がある。携帯電話端末に着信があると携帯電話端末はスピーカーから着信音を発し或いはバイブレータで振動を発してユーザーに着信中であることを通知し、これにより着信に気がついたユーザーは表示装置にて発信元情報を視認してその着信に対して応答が必要であるか否か判断する。発信元情報とは、携帯電話網を介して携帯電話端末に通知される発信者電話番号や、発信元電話番号に予め関連づけて携帯電話端末の記憶装置に格納された発信者の氏名、名称等の発信者或いは発信元に関する情報である。一般に携帯電話端末は音声通話の開始を携帯電話端末に対して指示するキー（以下音声通話開始キーと呼ぶものとする）を備え、その着信に応答する必要があると判断する場合にユーザーはこのキーを押下する。音声通話開始キーの押下に応じて、携帯電話端末の制御装置はその着信に応答する。
【０００４】
ここで、着信音やバイブレーション等によりユーザーが着信に気がついた後のユーザーの操作及び携帯電話端末の動作に着目する。従来の一般的な携帯電話端末では、音声通話開始キーとして機能する専用キー或いはソフトキーの押下を契機として、着信に応答し通話可能状態に移行する。この種の携帯電話端末を用いて着信に応答するためにユーザーが行なう操作は、（１）着信に気がつく、（２）発信元情報を確認し、応答の要否を判断する、（３）必要であれば音声通話開始キーを押下する、（４）スピーカーが耳元に位置し、マイクが口元に位置するように携帯電話端末を動かす、といった（１）〜（４）のステップを経る。折り畳み式携帯電話端末であって、閉状態でも視認可能な表示装置、所謂背面ディスプレイを備えないものが閉じた状態で着信があった場合は、（１）と（２）の間に携帯電話端末を開くステップが更に加わる。
【０００５】
このステップを減らすため、折り畳み式携帯電話端末の一部には、着信中に端末の開閉状態が閉状態から開状態に変化したことを契機として通話可能状態に移行するものもある。背面ディスプレイを備えている場合はこれにより（３）のステップを省略することができる。言い換えると、端末の開閉状態の変化のみを契機として着信に応答する折り畳み式携帯電話端末では、（２）のステップで応答前に発信元情報を確認するために背面ディスプレイが不可欠である。背面ディスプレイを備えていない折り畳み式携帯電話端末にて開閉状態の変化のみを契機として着信に応答すると、応答前に発信者を確認することができないので、ユーザーは通話する必要がない相手からの着信にも応答することとなる。
【０００６】
特許文献１には、固定電話端末として用いる電話装置を基本的に対象とした発明が記載されている。この電話装置は特定の場所に設置され、通話をしないときには周囲は無人であり、通話を行なうときに限って人が接近することを前提としている。このため、ユーザーが常時身につけていることを前提とする携帯電話端末に対して特許文献１に記載の発明を適用すると、携帯している間の全ての着信に対して否応なく自動的に応答することになる。
【０００７】
また、この応答はスピーカーフォン通話にて行なわれる。固定電話端末は特定の場所に設置されるため、ユーザーの接近に応じて自動的にスピーカーフォンで応答することとしてもその通話内容が聞こえる者をある程度限定することが可能だが、携帯電話端末ではどこで着信し、そのとき周囲に誰がいるかは分からないので、携帯電話端末にてスピーカーフォンによる自動着信応答を行なうのは不適切である。
【０００８】
更に、特許文献１の電話装置は表示装置を備えていないため、応答前に発信者を確認することができない。仮に、この電話機が表示装置を備え、発信者に関する情報を表示することとしても、表示装置を極端に大きくしない限り、表示された発信者情報を目視するためにはユーザーは電話装置に十分に近づく必要があるが、このときに相手が誰であっても結局は応答してしまうことになるので、発信者情報に基づいて応答するか否かをユーザーが選択することができない。
【先行技術文献】
【特許文献】
【０００９】
【特許文献１】特開平１０−２００６２３
【発明の概要】
【発明が解決しようとする課題】
【００１０】
本発明はこうした状況に鑑みてなされたものであり、本発明が解決しようとする課題は、携帯電話端末のユーザーが着信に応答するために必要な操作のステップを減らし、かつ、ユーザーは発信元情報を視認した後で応答するか否かを決定し、かつ、所謂スピーカーフォンではなく、携帯電話端末のスピーカー及びマイクをそれぞれユーザーの耳及び口に近づけて行なう通話として応答することができる携帯電話端末、携帯電話端末の着信応答方法及び携帯電話端末の制御プログラムを提供することである。
【課題を解決するための手段】
【００１１】
上述の課題を解決するため、本発明は、その一態様として、ユーザーが当該携帯電話端末を手に持って通話する姿勢を取るとき、ユーザーの頭部の部位Ａに対向する当該携帯電話端末の部位Ｂの近傍に配置された近接センサと、ユーザーが当該携帯電話端末を手に持って通話する姿勢を取るときにおける、前記部位Ａと、前記部位Ｂ及び前記近接センサのいずれかとの間の距離に基づいて予め定められた閾値と、着信後に前記近接センサで測定した測定距離との比較結果に基づいて当該携帯電話端末への着信に応答するか否かを判定する手段とを備えることを特徴とする携帯電話端末を提供する。
【００１２】
また、本発明は、他の態様として、ユーザーが当該携帯電話端末を手に持って通話する姿勢を取るとき、ユーザーの頭部の部位Ａに対向する当該携帯電話端末の部位Ｂの近傍に配置された近接センサにより距離を測定する手順と、ユーザーが当該携帯電話端末を手に持って通話する姿勢を取るときにおける、前記部位Ａと、前記部位Ｂ及び前記近接センサのいずれかとの間の距離に基づいて予め定められた閾値と、着信後に前記近接センサで測定した測定距離との比較結果に基づいて当該携帯電話端末への着信に応答するか否かを判定する判定手順とを前記携帯電話端末が備えるコンピュータに実行させるためのプログラムを提供する。
【００１３】
更に、本発明は、他の態様として、ユーザーが当該携帯電話端末を手に持って通話する姿勢を取るとき、ユーザーの頭部の部位Ａに対向する当該携帯電話端末の部位Ｂの近傍に配置された近接センサにより距離を測定する段階と、ユーザーが当該携帯電話端末を手に持って通話する姿勢を取るときにおける、前記部位Ａと、前記部位Ｂ及び前記近接センサのいずれかとの間の距離に基づいて予め定められた閾値と、着信後に前記近接センサで測定した測定距離との比較結果に基づいて当該携帯電話端末への着信に応答するか否かを判定する判定段階とを含むことを特徴とする携帯電話端末の着信応答方法を提供する。
【発明の効果】
【００１４】
本発明によれば、ユーザーが当該携帯電話端末を手に持って通話する姿勢を取るためには、携帯電話端末の特定の部位（例えばスピーカー開口部）とユーザーの頭部の特定の部位（例えば耳）がある程度の距離に接近するが、本発明では携帯電話端末の特定部位付近に設けた近接センサにて接近を検出し、これに応じて着信に応答する。このため、本発明によれば、着信に応答するためにユーザーは音声通話開始キーの押下等の操作をする必要がなく、操作の簡略化を図ることができる。
【図面の簡単な説明】
【００１５】
【図１】本発明の実施例１である携帯電話端末１のブロック図である。
【図２】携帯電話端末１の外観を説明するための図であり、特に、スピーカー開口部６ａと近接センサ７との位置関係を説明するための図である。
【図３】携帯電話端末１の着信応答動作を説明するためのフローチャートである。
【図４】本発明の実施例２である携帯電話端末２０のブロック図である。
【図５】携帯電話端末２０の外観を説明するための図であり、特に、スピーカー開口部６ａと近接センサ７との位置関係を説明するための図である。
【図６】携帯電話端末２０の着信応答動作を説明するためのフローチャートである。
【発明を実施するための形態】
【００１６】
本発明の一実施の形態である携帯電話端末は、近接センサと、近接センサによる測定距離と閾値との比較結果に基づいて着信に応答するか否かを判定する手段とを備える。ユーザーが携帯電話端末を手に持って通話する姿勢を考える。このときユーザーの頭部のある部位Ａ（例えば耳や口）と、この部位Ａに対向する携帯電話端末の部位Ｂ（例えばスピーカーやマイクの開口部）との距離は、ユーザー間で個人差はあるものの、ある程度の範囲に収まる。この距離に基づいて閾値を定め、部位Ｂの近傍に近接センサを配置する。本発明の携帯電話端末は、着信があると、近接センサによる測定距離と閾値とを比較し、その結果に基づいて着信に応答するか否かを判定するといった着信応答動作を行なう。
【００１７】
携帯電話端末での一般的な着信応答動作では、音声通話の開始を指示するキー（以下音声通話開始キーと記す）の押下に応じて応答するが、本発明の携帯電話端末では、上述のような着信応答動作を音声通話開始キーの押下による応答とは独立して行なう。ユーザーが音声通話開始キーを押下する／しないに関わらず、近接センサによる測定距離等に基づいて応答するので、着信に応答する際にユーザーは音声通話開始キーを押下する必要がない。
【００１８】
着信に応答するか否かの判定としては、例えば測定距離が閾値よりも短くなると着信に応答するものが考えられる。また、予め定められた測定距離の時間変化を検出した後、測定距離が閾値よりも短くなると着信に応答することが考えられる。例えば、着信時の測定距離はゼロ或いは短距離であり、次に測定距離が所定の距離よりも長くなり、次に測定距離が所定の距離よりも短くなったとき、着信に応答することが考えられる。
【００１９】
着信に応答するか否かを定めるための副次的な指標であり、それ単体では着信に応答するか否かを定めることができない前記指標を生成する手段を更に備えることとし、前記比較結果と前記指標との組み合わせに基づいて着信に応答するか否かを判定することとしてもよい。このような指標を参照して応答の要否を判定することにより、ユーザーがその着信に応答するつもりなのか否かをより正確に推定することができる。
【００２０】
このような指標生成手段としては、携帯電話端末が折り畳み式の場合は開閉状態を検出する開閉検出手段がある。この場合、開閉検出手段により折り畳み式携帯電話端末が開いた状態にあり、かつ、近接センサによる測定距離が閾値よりも短いときに着信に応答することが考えられる。
【００２１】
別の指標生成手段としては、着信に応答しないときにユーザーが入力する非応答時入力手段を設けることが考えられる。この場合、非応答時入力手段による入力がなく、かつ、近接センサによる測定距離が閾値よりも短いときに着信に応答することが考えられる。非応答時入力手段を用いる場合は、携帯電話端末が折り畳み型であってもストレート型であっても適用することができる。
【実施例１】
【００２２】
本発明の第１の実施例である折り畳み式携帯電話端末１について図１を参照して説明する。折り畳み式携帯電話端末１は携帯通信網２を介して通信を行なう携帯電話端末であり、上部筐体３、下部筐体４と、これら筐体を開閉可能に繋ぐヒンジ部５を備える。
【００２３】
上部筐体３はスピーカー６、近接センサ７、表示部８を備える。下部筐体４は無線部９、開閉検出部１０、制御部１１、キー部１２、マイク１３を備える。
【００２４】
スピーカー６は音声を出力する。着信時には着信音を出力し、通話時には通話相手の音声を出力する。
【００２５】
近接センサ７は非接触で物体の接近を検知するセンサである。動作原理は問わない。近接センサ７には、例えば、赤外線を発する発光素子と赤外線を検知する受光素子とを備え、発光素子から放った赤外線が物体に当たって反射した反射光を受光素子にて検知することにより、物体の接近を検知するものを用いることができる。通話の際にユーザーはスピーカー６に耳を近づける動作をするが、このときの耳の接近を検出するため、図２に示すように、近接センサ７はスピーカー６の開口部６ａの近傍に配置される。
【００２６】
表示部８は液晶ディスプレイ装置や有機エレクトロルミネッセンスディスプレイ装置等の表示装置である。
【００２７】
無線部９は携帯電話網２の基地局との無線通信を行う。携帯電話網２から着信があると無線部９は制御部１１に着信検出を通知する。
【００２８】
開閉検知部１０はヒンジ部５の開閉状態を検出して制御部１１に通知する。
【００２９】
キー部１２は入力装置であり、テンキー、音声通話を開始する音声通話開始キー１２ａ、音声通話を終了する終了キー、各種の機能キーからなる。
【００３０】
制御部１１は折り畳み式携帯電話端末の各部の動作を制御する。
【００３１】
マイク１３はユーザーの音声を入力するための装置である。
【００３２】
次に折り畳み式携帯電話端末１の動作について図３を参照して説明する。今、ヒンジ部５は閉じており、開閉検知部１０はヒンジ部５が閉じていることを制御部１１に通知しているものとする。表示部８のスクリーンは上部筐体３の内側或いは前面に面している。尚、上部筐体３の背面側に所謂サブスクリーンは備えていないものとする。
【００３３】
無線部９が携帯電話網２から着信通知を受信する（ステップＳ１）と、制御部１１は、スピーカー６から予め定められた音量で着信音を鳴動させる等の着信通知処理を行なう（ステップＳ２）。着信音に気がついたユーザーが上部筐体３と下部筐体４とを開くと、開閉検知部１０はヒンジ部５が閉状態から開状態に移行したことを検出（ステップＳ３）し、これを制御部１１に通知する。
【００３４】
開状態への移行を通知されて、ヒンジ部５の開閉状態が閉状態から開状態に移行したと判定すると、制御部１１は、着信の発信元の名称や電話番号等の発信元情報を表示部８にてユーザーに対して表示する（ステップＳ４）と共に、近接センサ７を活性化する（ステップＳ５）。
【００３５】
表示部８の画面上にて目視した発信元情報に基づいて、ユーザーはその着信に応答して通話を開始するか、その着信を無視するか、或いはその着信を保留するか等を判断する。通話を開始する場合、ユーザーは、開いた状態の折り畳み式携帯電話端末１をそのまま顔の横に移動させる。このときユーザーは音声通話開始キー１２ａを押下する必要はない。
【００３６】
ユーザーが折り畳み式携帯電話端末１を顔の横に移動させると、ユーザーの頭部と折り畳み式携帯電話端末１との間の距離が徐々に接近していき、ある程度接近すると近接センサ７がユーザーの頭部等を検知し、距離を測定して、測定距離を制御部１１に通知する。制御部１１は通知された測定距離を所定の閾値と比較する（ステップＳ６）。
【００３７】
閾値は、ユーザーが折り畳み式携帯電話端末１を開いた状態で手に持って通話するときのユーザーの頭部のいずれかの部位と、折り畳み式携帯電話端末１のいずれかの部位との間の距離を基準として予め定められる。本実施例ではユーザーの頭部の部位は耳であり、携帯電話端末の部位はスピーカー６の開口部である。一般に通話を行なう際にユーザーの耳は携帯電話端末のスピーカー開口部６ａまで数センチメートル程度の距離まで接近するか或いは接触する。本実施例では通話時のユーザーの耳とスピーカー開口部６ａの間の一般的な距離を基準として閾値を定める。
【００３８】
測定距離が閾値を下回るとき、制御部１１には、ステップＳ１にて無線部９から着信中であることが通知され、かつ、ステップＳ３にて開閉検知部１０から開状態であることが通知され、かつ、ステップＳ６にて近接センサ７にて何らかの物体が接近していることが通知されていることになる。つまり、着信中に閉状態から開状態に移行した折り畳み式携帯電話端末１のスピーカー開口部６ａに対し、何らかの物体が接近しているということである。本発明ではこのような状況下でスピーカー開口部６ａに所定の距離よりも近づく物体を、折り畳み式携帯電話端末１のユーザーの耳であろうと推定し、以下に続く所定の動作を行なう。
【００３９】
まず、制御部１１は、スピーカー６から出力中の着信音の音量を下げる、或いは、着信音の鳴動を中止する（ステップＳ７）。ステップＳ２以降、スピーカー６は着信音を当初の音量にて出力しているが、当初の音量はユーザーが折り畳み式携帯電話端末１から離れた位置にいる場合や、折り畳み式携帯電話端末１が鞄の中にある場合であってもユーザーが気づくことができる程度に大きいため、ユーザーがスピーカー６に耳を近づけた状況では大きすぎる音量となっている。この点に鑑みて、制御部１１は測定距離が所定の閾値よりも短くなると着信音の音量を下げる、或いは、着信音の鳴動を中止する。音量を下げる場合は、単に所定の音量まで下げることとしてもよいし、測定距離に応じて音量を下げる制御を行なうこととしてもよい。
【００４０】
また、制御部１１は着信に応答し呼を確立する（ステップＳ７）。このとき制御部１１は音声通話開始キー１２ａの押下を待たずに応答する。このため、従来であれば、着信音に気づいたユーザーは、表示部にて発信元情報を目視して発信者を確認し、その着信に応答するつもりであれば、音声通話開始キーを押下して着信に応答するためだけの操作を行なった後、マイクと口元、スピーカーと耳との位置関係が通話に適したものになるように通信装置を動かしてから通話を開始していた。これに対して、上述の折り畳み式携帯電話端末１では、発信元情報を目視した後、その着信に応答する場合は、そのまま通話に適した位置まで折り畳み式携帯電話端末１を動かす行為が、着信に応答するための操作を兼ねるので、ユーザーはキーを押下することなく着信に応答することができるようになり、操作性の向上に寄与する。
【実施例２】
【００４１】
本発明の他の実施例である携帯電話端末２０について図４を参照して説明する。実施例１の携帯電話端末１は折り畳み型であり、その筐体は上部筐体３、下部筐体４からなっていたが、携帯電話端末２０は所謂ストレート型の携帯電話端末であるため、上下の筐体を繋ぐヒンジ部５がなく、従ってその開閉を検出する開閉検出部１０もない。携帯電話端末１と同じ機能を有する構成要素に対しては同じ参照符号を付し、説明を適宜省略する。
【００４２】
キー部１２は入力装置であり、テンキー、音声通話を開始する音声通話開始キー１２ａ、音声通話を終了する終了キー、各種の機能キーからなる。図５に示すように、携帯電話端末２０は、音声通話を終了する音声通話終了キー１２ｂ、ソフトキー１２ｃ、１２ｄを備える。ソフトキー１２ｃ、１２ｄは、携帯電話端末２０の動作状態に応じて制御部１１が機能を割り当てるキーである。
【００４３】
携帯電話端末２０の動作について図６を参照して説明する。以下の動作の間、発信者は発信を継続し、従って着信も継続するものとする。
【００４４】
無線部９が携帯電話網２から着信通知を受信する（ステップＳ１１）と、制御部１１は、スピーカー６から予め定められた音量で着信音を鳴動させる等の着信通知処理を行なう（ステップＳ１２）。
【００４５】
また、制御部１１は、ユーザーに対して、その着信に応答しない場合はソフトキー１２ｄを押下するように促すメッセージと、その着信の発信元に関する発信元情報とを表示部８により表示する（ステップＳ１３）。図６には反映されていないが、以後いつでも、着信が継続している間にソフトキー１２ｄが押下されると、ユーザーはその着信に応答するつもりがないとして、制御部１１は着信音の鳴動を中止することとしてもよい。また、着信音の鳴動を中止した後であっても、着信が続いている場合は音声通話開始キー１２ａの押下に応じて応答する。
【００４６】
更に、制御部１１は近接センサ７を活性化し、周辺の物体の検出を試みる（ステップＳ１４）。所定の距離ｄ１内に物体を検出（ステップＳ１５）した場合、続く時間の経過と共に測定距離が所定の距離ｄ２に達するか否かを判定する（ステップＳ１６）。測定距離が変らない、短くなっている或いは距離ｄ２に達しない場合は単に着信音の鳴動等ユーザーの呼び出しを続ける。測定距離が距離ｄ２よりも長くなる場合、ユーザーが携帯電話端末２０を鞄やポケット等から取り出したとの推定の元で続く処理を行なう。距離ｄ１と距離ｄ２はｄ１＜ｄ２の関係を有する。距離ｄ１は携帯電話端末２０を鞄やポケットに収めているときの鞄やポケットと近接センサ７との距離に基づいて定める。距離ｄ２は例えば携帯電話端末２０を片手に取ったユーザーが表示部８の文字を視認する際の距離に基づいて定めることが考えられる。
【００４７】
近接センサ７での測定距離が時間経過と共に距離ｄ２よりも長くなった後、続く時間経過と共に測定距離が所定の距離ｄ３よりも短く（ステップＳ１７）なり、かつ、ステップＳ１３から現時点までの間にソフトキー１２ｄが押下されていない（ステップＳ１８）場合、前述のステップＳ７と同様に、制御部１１はスピーカー６から出力中の着信音の音量を徐々に下げて鳴動を中止（ステップＳ１９）し、着信に応答し呼を確立する（ステップＳ２０）。距離ｄ３は、例えば、ユーザーが携帯電話端末を片手に持って顔の横に移動させて通話のためにスピーカー開口部６ａを耳元に寄せたときのスピーカー開口部６ａとユーザーの耳との間の距離に基づいて定める。
【００４８】
ステップＳ１５において、距離ｄ１以遠に物体を検出した、或いは、近接センサが検出可能な距離内に物体が存在しない場合も、同様に、時間経過と共に測定距離が所定の距離ｄ３よりも短く（ステップＳ１７）なり、かつ、ソフトキー１２ｄが押下されていない（ステップＳ１８）場合、制御部１１は着信音の音量制御（ステップＳ１９）を行なった後、着信に応答し呼を確立する（ステップＳ２０）。この場合の動作は、着信時に携帯電話端末２０が例えばテーブルに表示部８側を上にして置いてあり、スピーカー開口部６ａ周辺に物体が存在しないような状況を想定している。
【００４９】
以上、本発明について実施の形態及びに即して説明したが、上述の実施形態及びその変形は例示であり、本発明はこれらに限定されるものではない。上述の実施例では、近接センサを１基設けているが、これに限定されるものではなく、複数の近接センサを設け、それぞれの近接センサについて閾値を定めて、複数の比較結果の組み合わせに基づいて応答の要否を判定することとしてもよい。
【００５０】
上記の実施形態及び実施例の一部又は全部は以下の付記のようにも記載されうるが、これらに限定されるものではない。
【００５１】
（付記１）
ユーザーが当該携帯電話端末を手に持って通話する姿勢を取るとき、ユーザーの頭部の部位Ａに対向する当該携帯電話端末の部位Ｂの近傍に配置された近接センサと、
ユーザーが当該携帯電話端末を手に持って通話する姿勢を取るときにおける、前記部位Ａと、前記部位Ｂ及び前記近接センサのいずれかとの間の距離に基づいて予め定められた閾値と、着信後に前記近接センサで測定した測定距離との比較結果に基づいて当該携帯電話端末への着信に応答するか否かを判定する手段と
を備えることを特徴とする携帯電話端末。
【００５２】
（付記２）
着信に応答するか否かを定めるための副次的な指標であり、それ単体では着信に応答するか否かを決定しない前記指標を生成する指標生成手段を更に備え、
前記比較結果と前記指標との組み合わせに基づいて着信に応答するか否かを判定する
ことを特徴とする付記１に記載の携帯電話端末。
【００５３】
（付記３）
当該携帯電話端末は折り畳み式であり、
前記指標生成手段として、当該携帯電話端末の折り畳み機構の開閉状態を検出する開閉検出手段を備える
ことを特徴とする付記２に記載の携帯電話端末。
【００５４】
（付記４）
着信に応答しないときにユーザーが入力するための非応答時入力手段を前記指標生成手段として備えることを特徴とする付記２に記載の携帯電話端末。
【００５５】
（付記５）
前記判定は、測定距離が閾値よりも短くなると着信に応答すると判定することを特徴とする付記１乃至４のいずれかに記載の携帯電話端末。
【００５６】
（付記６）
前記判定は、測定距離の予め定められた時間変化を検出した後、測定距離が閾値よりも短くなると着信に応答すると判定することを特徴とする付記１乃至４のいずれかに記載の携帯電話端末。
【００５７】
（付記７）
前記部位Ａ及び部位Ｂの組み合わせとして、耳とスピーカー開口部、及び、口とマイク開口部の少なくとも一方を含むことを特徴とする付記１乃至６のいずれかに記載の携帯電話端末。
【００５８】
（付記８）
ユーザーが当該携帯電話端末を手に持って通話する姿勢を取るとき、ユーザーの頭部の部位Ａに対向する当該携帯電話端末の部位Ｂの近傍に配置された近接センサにより距離を測定する手順と、
ユーザーが当該携帯電話端末を手に持って通話する姿勢を取るときにおける、前記部位Ａと、前記部位Ｂ及び前記近接センサのいずれかとの間の距離に基づいて予め定められた閾値と、着信後に前記近接センサで測定した測定距離との比較結果に基づいて当該携帯電話端末への着信に応答するか否かを判定する判定手順と
を前記携帯電話端末が備えるコンピュータに実行させるためのプログラム。
【００５９】
（付記９）
着信に応答するか否かを定めるための副次的な指標であり、それ単体では着信に応答するか否かを決定しない前記指標を生成する指標生成手順を更に前記コンピュータに実行させ、
前記判定手順は、前記比較結果と前記指標との組み合わせに基づいて着信に応答するか否かを判定する
ことを特徴とする付記８に記載のプログラム。
【００６０】
（付記１０）
前記携帯電話端末は折り畳み式であり、折り畳み機構の開閉状態を検出する開閉検出手段を備え、
前記指標生成手順は前記開閉検出手段による検出結果に基づいて前記指標を生成する
ことを特徴とする付記９に記載のプログラム。
【００６１】
（付記１１）
前記携帯電話端末は、着信に応答しないときにユーザーが入力するための非応答時入力手段を備え、
前記指標生成手順は前記非応答時入力手段による入力がないときに前記指標を生成する
ことを特徴とする付記９に記載のプログラム。
【００６２】
（付記１２）
前記判定手順は、測定距離が閾値よりも短くなると着信に応答すると判定することを特徴とする付記９乃至１１のいずれかに記載のプログラム。
【００６３】
（付記１３）
前記判定手順は、測定距離の予め定められた時間変化を検出した後、測定距離が閾値よりも短くなると着信に応答すると判定することを特徴とする付記９乃至１１のいずれかに記載のプログラム。
【００６４】
（付記１４）
前記部位Ａ及び部位Ｂの組み合わせとして、耳とスピーカー開口部、及び、口とマイク開口部の少なくとも一方を含むことを特徴とする付記９乃至１３のいずれかに記載のプログラム。
【００６５】
（付記１５）
ユーザーが当該携帯電話端末を手に持って通話する姿勢を取るとき、ユーザーの頭部の部位Ａに対向する当該携帯電話端末の部位Ｂの近傍に配置された近接センサにより距離を測定する段階と、
ユーザーが当該携帯電話端末を手に持って通話する姿勢を取るときにおける、前記部位Ａと、前記部位Ｂ及び前記近接センサのいずれかとの間の距離に基づいて予め定められた閾値と、着信後に前記近接センサで測定した測定距離との比較結果に基づいて当該携帯電話端末への着信に応答するか否かを判定する判定段階と
を含むことを特徴とする携帯電話端末の着信応答方法。
【００６６】
（付記１６）
着信に応答するか否かを定めるための副次的な指標であり、それ単体では着信に応答するか否かを決定しない前記指標を生成する指標生成段階を更に前記コンピュータに実行させ、
前記判定段階は、前記比較結果と前記指標との組み合わせに基づいて着信に応答するか否かを判定する
ことを特徴とする付記１５に記載の携帯電話端末の着信応答方法。
【００６７】
（付記１７）
前記携帯電話端末は折り畳み式であり、折り畳み機構の開閉状態を検出する開閉検出手段を備え、
前記指標生成段階は前記開閉検出手段による検出結果に基づいて前記指標を生成する
ことを特徴とする付記１６に記載の携帯電話端末の着信応答方法。
【００６８】
（付記１８）
前記携帯電話端末は、着信に応答しないときにユーザーが入力するための非応答時入力手段を備え、
前記指標生成段階は前記非応答時入力手段による入力がないときに前記指標を生成する
ことを特徴とする付記１６に記載の携帯電話端末の着信応答方法。
【００６９】
（付記１９）
前記判定手順は、測定距離が閾値よりも短くなると着信に応答すると判定することを特徴とする付記１５乃至１８のいずれかに記載の携帯電話端末の着信応答方法。
【００７０】
（付記２０）
前記判定手順は、測定距離の予め定められた時間変化を検出した後、測定距離が閾値よりも短くなると着信に応答すると判定することを特徴とする付記１５乃至１８のいずれかに記載の携帯電話端末の着信応答方法。
【００７１】
（付記２１）
前記部位Ａ及び部位Ｂの組み合わせとして、耳とスピーカー開口部、及び、口とマイク開口部の少なくとも一方を含むことを特徴とする付記１５乃至２０のいずれかに記載の携帯電話端末の着信応答方法。
【符号の説明】
【００７２】
１  折り畳み式携帯電話端末
２  携帯通信網
３  上部筐体
４  下部筐体
５  ヒンジ部
６  スピーカー
６ａ  スピーカー開口部
７  近接センサ
８  表示部
９  無線部
１０  開閉検出部
１１  制御部
１２  キー部
１２ａ  音声通話開始キー
１２ｂ  音声通話終了キー
１２ｃ、１２ｄ  ソフトキー
１３  マイク
２０  携帯電話端末
【図１】
0005322317.tif 000002
【図２】
0005322317.tif 000003
【図３】
0005322317.tif 000004
【図４】
0005322317.tif 000005
【図５】
0005322317.tif 000006
【図６】
0005322317.tif 000007